(57)【要約】【課題】マルチモニタシステムにおいて複数の表示装置によって任意の画面サイズや表示位置で容易に画面表示する。【解決手段】画面表示システム１は画面の表示形式が予め設定される端末２とこの端末２に設定された様式に基づき複数の画面を同時に表示する複数の表示装置（モニタ３，４，５）を備える。端末２はモニタ３，４，５の画面を含んだ画面サイズで表示する様式の設定が可能である。端末２はモニタ３，４，５の表示画面のサイズを変更させることができる。端末２は少なくとも一つのモニタの表示画面を他のモニタに移動させることができる。端末２はモニタ３，４，５のいずれかにおいて表示された画面の拡大表示、縮小表示、部分拡大表示、パン表示の少なくともいずれかを実行できる。【選択図】図１
2009043035.tif 000002
【特許請求の範囲】
【請求項１】
端末から供された画像を複数の表示装置によって表示する画像表示方法であって、
前記端末は予め設定された表示様式に基づき複数の画面を同時に前記複数の表示装置によって表示させること
を特徴とする画面表示方法。
【請求項２】
前記端末は複数の表示装置の画面を含んだ画面サイズで表示する様式の設定が可能であることを特徴とする請求項１に記載の画面表示方法。
【請求項３】
前記端末は前記表示装置の表示画面のサイズを変更可能であることを特徴とする請求項１または２に記載の画面表示方法。
【請求項４】
前記端末は少なくとも一つの表示装置の表示画面を他の表示装置に移動可能であることを特徴とする請求項１から３のいずれか１項に記載の画面表示方法。
【請求項５】
前記端末は前記複数のいずれかの表示装置において表示された画面の拡大表示、縮小表示、部分拡大表示、パン表示の少なくともいずれかが可能であることを特徴とする請求項１から４のいずれか１項に記載の画面表示方法。
【請求項６】
画面の表示形式が予め設定される端末と、
この端末に設定された様式に基づき複数の画面を同時に表示する複数の表示装置と
を備えること
を特徴とする画面表示システム。
【請求項７】
前記端末は複数の表示装置の画面を含んだ画面サイズで表示する表示様式の設定が可能であることを特徴とする請求項６に記載の画面表示システム。
【請求項８】
前記端末は前記表示装置の表示画面のサイズを変更可能であることを特徴とする請求項６または７に記載の画面表示システム。
【請求項９】
前記端末は少なくとも一つの表示装置の表示画面を他の表示装置に移動可能であること
を特徴とする請求項６から８のいずれか１項に記載の画面表示システム。
【請求項１０】
前記端末は前記複数のいずれかの表示装置において表示された画面の拡大表示、縮小表示、部分拡大表示、パン表示の少なくともいずれかが可能であることを特徴とする請求項６から９のいずれか１項に記載の画面表示システム。
【請求項１１】
請求項１から５のいずれか１項に記載の画面表示方法をコンピュータに実行させるためのプログラム。
【発明の詳細な説明】
【技術分野】
【０００１】
本発明は監視制御システムの画面表示技術に関する。
【背景技術】
【０００２】
監視制御システムでは図７に例示されたように端末の画像表示装置おいて通常画面サイズのみならず１／４画面、１／２画面サイズで表示できるようになっている。通常画面ではヘッダ部の下で画面表示エリア部７０が表示される。画面表示エリア部７０の画面サイズ及び表示位置は固定となっている。１／４画面ではヘッダ部の下に表示エリア部７１〜７４が２行２列に配置されるように表示されている。例えば表示エリア部７１はグラフィック表示画面である。表示エリア部７２はメッセージリストを表示する。表示エリア部７３はアラームサマリを表示する。表示エリア部７４は制御グループを表示する。１／２画面では例えば表示エリア部７１及び表示エリア部７２が上下に配置されるように表示されている。
【０００３】
また、近年では特許文献１の画面表示方法のように端末の画面作業スペースを拡大するなどの目的で画像データを複数の画像表示装置（ディスプレイ）によって表示するマルチモニタ表示システムが採用されている。マルチモニタは最大４画面まで表示できるようになっている。４台の画像表示装置をマルチ画面表示に用いることが可能な場合、横１列に並べた横長表示、２行２列に配置した拡大表示などの表示モードで表示できる。
【特許文献１】特開２００３−２７１１１８
【発明の開示】
【発明が解決しようとする課題】
【０００４】
監視制御システムのマルチモニタ化に伴い、画面サイズや画面表示位置を自由に表示したいニーズがあるが前述の先行技術に係る表示システムではその対応ができていない。
【課題を解決するための手段】
【０００５】
そこで、前記課題を解決するための画面表示方法は、端末から供された画像を複数の表示装置によって表示する画像表示方法であって、前記端末は予め設定された表示様式に基づき複数の画面を同時に前記複数の表示装置によって表示させる。
【０００６】
また、前記課題を解決するための画面表示システムは、画面の表示形式が予め設定される端末と、この端末に設定された様式に基づき複数の画面を同時に表示する複数の表示装置を備える。
【０００７】
この画面表示方法及び画面表示システムによれば任意の複数の表示装置によって任意の数の画面を同時に表示できる。
【０００８】
前記画面表示方法及び画面表示システムにおいて、前記端末は複数の表示装置の画面を含んだ画面サイズで表示する表示様式の設定が可能であるようにするとよい。複数の表示装置の画面を含んだ画面サイズで表示できるので、特に監視制御システムに有効である。
【０００９】
また、前記端末は前記表示装置の表示画面のサイズを変更可能であるようにするとよい。表示画面の変更が可能であるので、任意の画面サイズで表示要素を閲覧できる。
【００１０】
さらに、前記端末は少なくとも一つの表示装置の表示画面を他の表示装置に移動可能であるようにするとよい。複数の表示装置の画面から構成される表示画面の任意の位置で表示要素を閲覧できる。
【００１１】
また、前記端末は前記複数のいずれかの表示装置において表示された画面の拡大表示、縮小表示、部分拡大表示、パン表示の少なくともいずれが可能であるようにするとよい。効率的に任意の画面表示エリアで表示できる。
【００１２】
尚、以上の画面表示方法はコンピュータに実行させるためにプログラムの態様に構成してもよい。
【発明の効果】
【００１３】
したがって、以上の発明によればマルチモニタシステムにおいて任意の複数の表示装置によって任意の画面サイズや表示位置で容易に画面表示できる。
【発明を実施するための最良の形態】
【００１４】
図１は第一の実施形態に係る画面表示システム１とその動作例の説明図である。図２は画面表示システム１による画面表示のフロー図である。
【００１５】
画像表示システム１は端末２とこれに格納された情報を出力表示するためのモニタ３，４，５を備える。モニタは最大４台まで設定可能となっている。端末２とモニタ３，４，５は既知のマルチモニタシステムのモニタケーブルで接続すればよい。
【００１６】
モニタ３，４，５は端末２に設定された表示様式に基づき単数または複数の画面を同時に表示する。すなわち、端末２の表示部から出力表示されるユーティリティ画面の表示メニューＭ１にはボタンＢ１〜Ｂ６が設けられている。ボタンＢ１〜Ｂ６にはモニタ毎の表示位置、サイズの割り付け等の表示様式が登録されている。そして、表示メニューＭ１に示されたボタンＢ１〜Ｂ６のクリックにより、登録された画面位置と画面サイズで複数のモニタに同時表示する。例えば図１に示されたボタンＢ６は、モニタ３が１／４画面サイズで４枚表示し、モニタ４が通常画面サイズで１枚表示し、モニタ５が１／２画面サイズで２枚表示するような表示様式が設定されている。
【００１７】
図１及び図２を参照しながら画像表示システム１の動作例について説明する。
【００１８】
Ｓ１０のメニューボタン押下待機状態の後にＳ１１でボタン登録のチェックがなされる。登録済みである場合はＳ１２で登録内容に応じて画面表示を行う。例えば図１に示されたようにモニタ３ではヘッダ部Ｈ３の下に１／４画面サイズの画面Ｄ１〜Ｄ４が２行２列の配列で表示される。モニタ４ではヘッダ部Ｈ４の下に通常画面サイズの画面Ｄ５が１枚表示される。モニタ５ではヘッダ部Ｈ５の下に１／２画面サイズの画面Ｄ６，Ｄ７が上下に配置されるように表示される。一方、ボタンＢ１〜Ｂ６が未登録である場合はＳ１３でボタン登録処理がなされる。その後、Ｓ１０のメニューボタン押下待ちの工程に移行する。以上のように任意のモニタ３，４，５によって任意の数の画面を同時に表示できる。
【００１９】
図３は第二の実施形態に係る画面表示（拡大、縮小、移動）の説明図である。図４は第二の実施形態に係る表示のフロー図である。
【００２０】
画像表示システム１は画面ウィンドウのリサイズ操作中に画面表示の拡大及び縮小が可能である。特に各モニタに表示された画面を複数のモニタにまたがって拡大表示させることができる。例えば、モニタ４の画面Ｄ５は図３（ａ）に示された画面Ｄ５のようにモニタ２面分すなわちモニタ４及びモニタ５にまたがって拡大表示させることができる。以上のようにモニタ３，４，５の画面を含んだ画面サイズで拡大表示できるので、特に監視制御システムに有効である。
【００２１】
また、ウィンドウのリサイズ後、他のモニタへの移動が可能である。図３及び図４を参照しながら説明すると、Ｓ２１で画面表示がなされた後にＳ２２でウィンドウリサイズ待機状態となる。次いでＳ２３で画面ウィンドウのリサイズ処理が実行される。例えば図３（ａ）に示されたモニタ２面分に拡大された画面Ｄ５は図３（ｂ）に示された画面Ｄ５のように縮小される。この縮小された画面Ｄ５はさらにドラックアンドドロップによってモニタ５の画面に移動できる。以上のようにモニタ３，４，５の画面から構成される表示画面の任意の位置で表示要素を閲覧できる。
【００２２】
図５は第三の実施形態に係る画面表示（拡大、縮小、部分拡大、パン表示、リセット）の説明図である。
【００２３】
本実施形態では画面表示中にマウスに例示されるポインティングデバイスの右クリックボタン（または左クリックボタン）によってメニューが表示され、左クリックボタン（または右クリックボタン）によって拡大、縮小、部分拡大、パン表示、リセットの機能を選択できるようになっている。「拡大」は画面上でポイント選択した点を基準に表示中の画面が連続的に拡大させる機能を意味する。「縮小」は画面上でポイント選択した点を基準に表示中の画面が連続的に縮小させる機能を意味する。「部分拡大」は画面上でエリア選択した範囲で画面表示させる機能を意味する。「パン表示」は画面上でポイント選択した点を中心に画面の縦横の比率を保ちながら表示させる機能を意味する。「リセット」はウィンドウサイズを基準に画面を再表示させる機能を意味する。尚、後述の図５に基づく説明では右クリック機能によってメニューを表示し、左クリック機能によって拡大、縮小、部分拡大、パン表示、リセットの機能を選択するような態様となっているが、発明に係る画面表示機能はこの態様に限定されない。
【００２４】
図６は第三の実施形態に係る画面表示のフロー図である。画面表示の手順を説明すると、Ｓ３１で画面表示がなされ、次いでＳ３２で画面表示エリア操作待機状態の後にＳ３３で画面表示エリアの表示処理が実行される。
【００２５】
例えば図５（ａ）に示されたようにモニタ３の画面Ｄ２を拡大表示する場合、ポインティングデバイスによって画面Ｄ２の領域内にカーソルを誘導した後に右クリックするとカーソルの近傍にメニューＭが表示される。メニューＭには「拡大」、「縮小」、「部分拡大」、「パン」、「リセット」の機能が設定されている。次に、カーソルによって「拡大」の項目を選んだ状態で左クリックボタンを押し続けると、画面Ｄ２上でポイント選択した点を基準に画面Ｄ２が拡大し続け、画面Ｄ２に表示された要素が拡大される。例えば図５（ａ）に示されたように「拡大」の項目が選択された状態で左クリックボタンが押下されている間、画面Ｄ２が拡大し続け、画面Ｄ２上の要素記号Ｃ１が拡大表示される。そして、この表示をリセットする場合、画面Ｄ２の領域内でポインティングデバイスの右クリックによって表示させたメニューＭから「リセット」の項目を左クリックすると、拡大表示する前の画面Ｄ２が再表示される。
【００２６】
図５（ｂ）に例示されたようにモニタ３の画面Ｄ２を縮小表示する場合、画面Ｄ２の領域内で右クリックによって表示されたメニューＭの機能項目から「縮小」の項目をカーソルによって選んだ状態で左クリックを押し続ける。これにより画面Ｄ２上でポイント選択した点を基準に画面Ｄ２が縮小し続け、画面Ｄ２に表示された要素が縮小される。例えば図５（ｂ）に示されたように「縮小」の項目がカーソルによって選択された状態で左クリックボタンが押下されている間、画面Ｄ２が縮小し続け、画面Ｄ２上の要素記号Ｃ１が縮小表示される。そして、この表示をリセットする場合、画面Ｄ２の領域内でポインティングデバイスの右クリックによって表示させたメニューＭから「リセット」の項目を左クリックすると、縮小表示する前の画面Ｄ２が再表示される。
【００２７】
図５（ｃ）に例示されたように画面Ｄ２の表示要素Ｃ２，Ｃ３を含んだエリアＡを部分拡大表示する場合、ポインティングデバイスのカーソル機能によって画面Ｄ２の部分拡大したいエリアＡが選択される。次に右クリックするとカーソルの近傍にメニューＭが表示される。そして、このメニューＭに表示された機能項目から「部分拡大」の項目を左クリックする。これにより画面Ｄ２上で選択されたエリアＡが拡大表示される。また、この表示をリセットする場合、画面Ｄ２の領域内でポインティングデバイスの右クリックによって表示されたメニューＭから「リセット」の項目を左クリックすると、部分拡大表示する前の画面Ｄ２が再表示される。
【００２８】
図５（ｄ）に例示されたようにモニタ３の画面Ｄ２をパン表示する場合、ポインティングデバイスのカーソル機能によって画面Ｄ２のパン表示したい部分の中心となるポイントが指定される。次いで、右クリックすると前記ポイントの近傍にメニューＭが表示される。そして、このメニューＭに表示された機能項目から「パン」の項目を左クリックする。これにより画面Ｄ２は縦横の比率を保ちながら前記ポイント選択された点を中心に表示される。例えば図５（ｄ）に示されたように画面Ｄ２はポイント選択された×印を中心とする表示画面となる。また、この表示をリセットする場合、画面Ｄ２の領域内でポインティングデバイスの右クリックによって表示させたメニューＭから「リセット」の項目を左クリックすると、パン表示する前の画面Ｄ２が再表示される。
【００２９】
以上のように第三の実施形態によれば効率的に任意の画面表示エリアで表示できる。
【図面の簡単な説明】
【００３０】
【図１】第一の実施形態に係る画面表示システムとその動作例の説明図。
【図２】第一の実施形態に係る画面表示のフロー図。
【図３】第二の実施形態に係る画面表示（拡大、縮小、移動）の説明図。
【図４】第二の実施形態に係る画面表示のフロー図。
【図５】第三の実施形態に係る画面表示（拡大、縮小、部分拡大、パン表示、リセット）の説明図。
【図６】第三の実施形態に係る画面表示のフロー図。
【図７】従来技術に係る画面表示の説明図。
【符号の説明】
【００３１】
１…画像表示システム
２…端末、Ｍ１…表示メニュー、Ｂ１〜Ｂ６…ボタン
３，４，５…モニタ、Ｈ３〜Ｈ５…ヘッダ部、Ｄ１〜Ｄ７…画面、Ｃ１〜Ｃ４…要素記号、Ｍ…メニュー
【図１】
2009043035.tif 000003
【図２】
2009043035.tif 000004
【図３】
2009043035.tif 000005
【図４】
2009043035.tif 000006
【図５】
2009043035.tif 000007
【図６】
2009043035.tif 000008
【図７】
2009043035.tif 000009